【手続補正書】
【提出日】平成23年7月8日(2011.7.8)
【手続補正１】
【補正対象書類名】特許請求の範囲
【補正対象項目名】全文
【補正方法】変更
【補正の内容】
【特許請求の範囲】
【請求項１】
少なくとも１種の液体を改質するほぼ連続的な方法であって：
少なくとも１種の液体を、少なくとも１つのトラフ部材を通して流し；
少なくとも１つの電極で少なくとも１種のプラズマを発生させ、前記少なくとも１つのプラズマを前記少なくとも１種の液体の少なくとも一部と接触させ；
前記少なくとも１種の液体と接触する少なくとも１組の追加の電極を提供し；そして
前記トラフ部材内部で少なくとも１つの電気化学反応を発生させる
ことを含む、少なくとも１種の液体を改質するほぼ連続的な方法。
【請求項２】
少なくとも１つのトラフ部材が、液体がその中を流れるのを可能にする導管を含む、請求項１に記載の方法。
【請求項３】
前記液体が前記トラフ部材から液体生成物として流れ出る、請求項１に記載の方法。
【請求項４】
前記少なくとも１つの電気化学反応が、前記少なくとも１組の追加の電極で起きる反応を含む、請求項２に記載の方法。
【請求項５】
前記少なくとも１つの電気化学反応が、前記少なくとも１種のプラズマと前記少なくとも１種の液体との前記接触に続いて生じる、請求項４に記載の方法。
【請求項６】
前記少なくとも１種のプラズマが、少なくとも１つのプラズマ形成金属電極と、前記少なくとも１種の液体の表面の少なくとも一部との間に形成されたプラズマを含み、かつ、前記少なくとも１つのプラズマ形成金属電極の少なくとも１つの成分が、前記プラズマ中に存在する、請求項１に記載の方法。
【請求項７】
前記少なくとも１つの成分が、前記少なくとも１種の液体の少なくとも一部を含む、請求項６に記載の方法。
【請求項８】
前記少なくとも１つのプラズマ形成金属電極の前記少なくとも１つの成分が、前記少なくとも１種の液体中に存在してから、前記少なくとも１つの電気化学反応が生じる、請求項７に記載の方法。
【請求項９】
前記少なくとも１つの電気化学反応を発生させるために、少なくとも２つの追加の電極が前記少なくとも１種の液体と接触する、請求項８に記載の方法。
【請求項１０】
前記少なくとも１つの電気化学反応を発生させるために、前記少なくとも２つの追加の電極の間に、電源が設けられている、請求項９に記載の方法。
【請求項１１】
前記少なくとも２つの電極が、少なくとも１つの金属成分を含む、請求項９に記載の方法。
【請求項１２】
前記少なくとも２つの電極が、前記少なくとも１種の液体中で金属系ナノ粒子を形成するのを助ける、請求項１０に記載の方法。
【請求項１３】
少なくとも１種の液体を改質して改質された液体を製造するほぼ連続的な方法であって：
少なくとも１つのトラフ部材を通る少なくとも１種の液体の流動方向を生成し；
前記少なくとも１種の液体の表面から所定の間隔を置いて少なくとも１つの金属系プラズマ形成電極を用意し；
前記少なくとも１つの金属系プラズマ形成電極と、前記少なくとも１種の液体の前記表面との間に少なくとも１種のプラズマを形成し；
前記少なくとも１種の液体の少なくとも一部と接触する少なくとも１組の追加の電極を用意し、前記少なくとも１組の追加の電極は、前記液体が前記少なくとも１つの金属系プラズマ形成電極を流過した後で、前記少なくとも１種の液体と接触し；そして
前記少なくとも１組の追加の電極を、前記少なくとも１種の液体の少なくとも一部と反応させる
ことを含む、少なくとも１種の液体を改質するほぼ連続的な方法。
【請求項１４】
液体をほぼ連続的に改質する装置であって：
少なくとも１つのトラフ部材と；
少なくとも１つのプラズマ形成金属系電極と；
少なくとも１つの電気化学反応を行うための少なくとも１組の金属系電極と；
前記少なくとも１つのプラズマ形成金属系電極に接続された少なくとも１つの第１電源と；
前記少なくとも１つの電気化学反応を行うための前記少なくとも１組の金属系電極に接続された少なくとも１つの第２電源と
を含む、液体をほぼ連続的に改質する装置。
【請求項１５】
さらに：
前記少なくとも１つのトラフ部材に液体を供給するための少なくとも１つの手段
を含む、請求項１４に記載の装置。
【請求項１６】
前記少なくとも１つのプラズマ形成金属系電極、及び前記少なくとも１組の金属系電極のうちの少なくとも１つから、前記液体中で、金属系ナノ粒子が生成される、請求項１４に記載の装置。
【請求項１７】
流動液体中で金属系ナノ粒子を連続的に形成する装置であって：
少なくとも１つの入口部分と少なくとも１つの出口部分とを含む少なくとも１つのトラフ部材と；
前記出口部分よりも前記入口部分の近くに配置されて少なくとも１つの第１電源に接続された、少なくとも１つのプラズマ形成金属系電極と；
前記入口部分よりも前記出口部分の近くに配置されて少なくとも１つの第２電源に接続され、前記液体の流れにおいて少なくとも１つの電気化学反応を起こさせる、少なくとも１組の金属系電極、と
を含む、
流動液体中で金属系ナノ粒子を連続的に形成する装置。
【請求項１８】
前記液体が水を含む、請求項１７に記載の装置。
【請求項１９】
前記少なくとも１つのプラズマ形成金属系電極が、白金、チタン、亜鉛、銀、銅、金、並びにこれらの合金及び混合物から成る群から選択された少なくとも１種の材料を含む、請求項１７に記載の装置。
【請求項２０】
前記少なくとも１組の金属系電極が、白金、チタン、亜鉛、銀、銅、金、並びにこれらの合金及び混合物から成る群から選択された少なくとも１種の材料を含む、請求項１７に記載の装置。
【請求項２１】
前記少なくとも１つのプラズマ形成金属系電極、及び前記少なくとも１組の金属系電極は、大部分が異なる金属を含む、請求項２０に記載の装置。
【請求項２２】
前記少なくとも１つのプラズマ形成金属系電極、及び前記少なくとも１組の金属系電極は、実質的に同じ金属を含む、請求項２０に記載の装置。
【請求項２３】
少なくとも２つのプラズマ形成金属系電極が設けられている、請求項１７に記載の装置。
【請求項２４】
少なくとも２組の金属系電極が設けられている、請求項１７に記載の装置。
【請求項２５】
少なくとも２つのプラズマ形成金属系電極が、前記出口部分よりも前記入口部分の近くに配置されており、そして少なくとも２組の金属系電極が、前記入口部分よりも前記出口部分の近くに配置されている、請求項１７に記載の装置。
【請求項２６】
少なくとも２つの金属系電極が、前記出口部分よりも前記入口部分の近くに配置されており、そして前記流動液体が、前記少なくとも１組の金属系電極と接触する前に、前記少なくとも２つのプラズマ形成金属系電極と接触する、請求項１７に記載の装置。
【請求項２７】
前記少なくとも１つのトラフ部材が、直線形状、「Ｙ字形」、及び「Ψ字形」のうちの少なくとも１つを含む、請求項１７に記載の装置。
【請求項２８】
少なくとも１種の流動液体を連続的に改質する装置であって：
少なくとも１つの入口部分と少なくとも１つの出口部分とを含む少なくとも１つのトラフ部材と；
前記出口部分よりも前記入口部分の近くに配置された少なくとも１つのプラズマ形成電極と；
前記入口部分よりも前記出口部分の近くに配置された少なくとも１組の金属系電極と
を含み、前記流動液体が、前記少なくとも１組の金属系電極と接触する前に、前記少なくとも１つのプラズマ形成電極と接触する、
少なくとも１種の流動液体を連続的に改質する装置。
【請求項２９】
前記少なくとも１つのトラフ部材が、直線形状、「Ｙ字形」、及び「Ψ字形」のうちの少なくとも１つを含む、請求項２８に記載の装置。
【請求項３０】
さらに、前記少なくとも１つのプラズマ形成金属系電極の周りに設けられた少なくとも１つの雰囲気制御装置を含む、請求項２８に記載の装置。
【請求項３１】
さらに、前記少なくとも１つのプラズマ形成電極及び前記少なくとも１組の金属系電極から成る群から選択された少なくとも１つの部材の高さを調節するための少なくとも１つの制御装置を含む、請求項２８に記載の装置。
【請求項３２】
前記少なくとも１つの制御装置が、前記少なくとも１つの部材を横切るほぼ一定の電圧を維持することにより、前記高さを調節する、請求項２９に記載の装置。
【請求項３３】
複数組の金属系電極から上流側に、第１のプラズマ形成電極が配置されている、請求項２８に記載の装置。
【請求項３４】
複数組の金属系電極から上流側に、少なくとも２つのプラズマ形成電極が配置されている、請求項２８に記載の装置。
【請求項３５】
少なくとも１つの雰囲気制御装置が、前記第１のプラズマ形成電極を取り囲んでいる、請求項３３に記載の装置。
【請求項３６】
前記少なくとも１種の液体が水を含み、前記少なくとも１つのプラズマ形成電極が、白金、チタン、亜鉛、銀、銅、金、並びにこれらの合金及び混合物から成る群から選択された少なくとも１種の材料を含み、そして前記少なくとも１組の金属系電極が、白金、チタン、亜鉛、銀、銅、金、並びにこれらの合金及び混合物から成る群から選択された少なくとも１種の材料を含む、請求項２８に記載の装置。